(57)【要約】【課題】車外への迷惑をなくすことができ、車内におけるオーディオ環境を向上させることができ、また携帯電話によるハンズフリー通話に対する妨害を低減することができるカーオーディオ装置を提供することを目的とする。【解決手段】車両ウィンドウの開閉量に応じたウィンドウ開閉量信号を出力するウィンドウ開閉量センサ１０と、オリジナル音量の音声信号を出力する音声信号発生装置２と、全体を制御する中央処理装置１と、音声信号発生装置２からの音声信号を入力して中央処理装置１からの指示に応じた音量の音声信号を出力する電子ボリューム回路３とを有するカーオーディオ装置であって、中央処理装置１は、ウィンドウ開閉量信号に基いてウィンドウの開閉量を検出する検出動作と、検知したウィンドウの開閉量に応じた音量を段階的に示す音量信号を電子ボリューム回路３に出力する音量調節動作とを行う。【選択図】図１
2005280425.tif 000002
【特許請求の範囲】
【請求項１】
車両のウィンドウの開閉量に応じたウィンドウ開閉量信号を出力するウィンドウ開閉量センサと、オリジナル音量の音声信号を出力するＣＤプレーヤー等の音声信号発生装置と、全体を制御する中央処理装置と、前記音声信号発生装置からの音声信号を入力して前記中央処理装置からの指示に応じた音量の音声信号を出力する電子ボリューム回路とを有するカーオーディオ装置であって、
前記中央処理装置は、前記ウィンドウ開閉量信号に基いて前記ウィンドウの開閉量を検出する検出動作と、検出した前記ウィンドウの開閉量に応じた音量を段階的に示す音量信号を前記電子ボリューム回路に出力する音量調節動作とを行うことを特徴とするカーオーディオ装置。
【請求項２】
携帯電話による通話を行う際に通話をハンズフリー通話にすると共に前記ハンズフリー通話の開始または終了を示すハンズフリー通話信号を出力する携帯電話ハンズフリー通話制御部と、オリジナル音量の音声信号を出力するＣＤプレーヤー等の音声信号発生装置と、全体を制御する中央処理装置と、前記音声信号発生装置からの音声信号を入力して前記中央処理装置からの指示に応じた音量の音声信号を出力する電子ボリューム回路とを有するカーオーディオ装置であって、
前記中央処理装置は、前記ハンズフリー通話信号の示す前記ハンズフリー通話の開始または終了を判定する判定動作と、判定した前記開始または終了に応じた音量を段階的に示す音量信号を前記電子ボリューム回路に出力する音量調節動作とを行うことを特徴とするカーオーディオ装置。
【請求項３】
自動的な音量変更を行うことを示す自動音量変更設定オンデータまたは自動的な音量変更を行わないことを示す自動音量変更設定オフデータを入力するための操作部と、前記操作部から入力された前記自動音量変更設定オンデータまたは前記自動音量変更設定オフデータを記憶するメモリとを備え、
前記中央処理装置は、前記メモリに前記自動音量変更設定オンデータが格納されているときには前記音量調節動作を行い、前記メモリに前記自動音量変更設定オフデータが格納されているときには前記音量調節動作を行わないことを特徴とする請求項１または２に記載のカーオーディオ装置。
【請求項４】
車両の位置または施設を検出して位置検出信号または施設検出信号を出力するカーナビゲーション位置検出部を備え、
前記中央処理装置は、前記位置検出信号または前記施設検出信号に基いて前記車両の位置または前記施設が自動音量変更を行う自動音量変更対象位置または自動音量変更対象施設か否かを判定する判定動作と、前記自動音量変更対象位置または前記自動音量変更対象施設であると判定したときは前記自動音量変更設定オンデータを前記メモリに自動的に格納することを特徴とする請求項３に記載のカーオーディオ装置。
【発明の詳細な説明】
【技術分野】
【０００１】
本発明は、車両に搭載するカーオーディオ装置に関するものである。
【背景技術】
【０００２】
従来のカーオーディオ装置では、音量を調節するには一般的に人手により操作するようになっている。また、車両の速度とウィンドウの開閉により自動的に音量を調節するものもある（例えば、特許文献１参照）。
【特許文献１】特開２００２−１９５３３号公報
【発明の開示】
【発明が解決しようとする課題】
【０００３】
しかし、従来のカーオーディオ装置の音量調節は、高速道路の料金所で料金を支払う際や、車内で携帯電話により通話する際などに音量を低減させる場合は、人手で音量調節をする必要があり、煩わしかった。また、車両の速度とウィンドウの開閉により自動的に音量を調節するものもあるが、この場合には、音量を低減させたくない場合でも速度が低下すると音量が低減され、また雨の日など車内換気のために若干ウィンドウを開けた場合でも音量が低減されるなど、車内のオーディオ環境が悪化する場合があり、不快に思う場合があった。
【０００４】
このカーオーディオ装置では、車外への迷惑をなくし、車内におけるオーディオ環境を向上させ、また携帯電話によるハンズフリー通話に対する妨害を低減することが要求されている。
【０００５】
本発明は、この要求を満たすため、車外への迷惑をなくすことができ、車内におけるオーディオ環境を向上させることができ、また携帯電話によるハンズフリー通話に対する妨害を低減することができるカーオーディオ装置を提供することを目的とする。
【課題を解決するための手段】
【０００６】
上記課題を解決するために本発明のカーオーディオ装置は、車両のウィンドウの開閉量に応じたウィンドウ開閉量信号を出力するウィンドウ開閉量センサと、オリジナル音量の音声信号を出力するＣＤプレーヤー等の音声信号発生装置と、全体を制御する中央処理装置と、音声信号発生装置からの音声信号を入力して中央処理装置からの指示に応じた音量の音声信号を出力する電子ボリューム回路とを有するカーオーディオ装置であって、中央処理装置は、ウィンドウ開閉量信号に基いてウィンドウの開閉量を検出する検出動作と、検知したウィンドウの開閉量に応じた音量を段階的に示す音量信号を電子ボリューム回路に出力する音量調節動作とを行う構成を備えている。
【０００７】
これにより、車外への迷惑をなくすことができ、車内におけるオーディオ環境を向上させることができるカーオーディオ装置が得られる。
【発明の効果】
【０００８】
本発明のカーオーディオ装置は、車両のウィンドウの開閉量に応じたウィンドウ開閉量信号を出力するウィンドウ開閉量センサと、オリジナル音量の音声信号を出力するＣＤプレーヤー等の音声信号発生装置と、全体を制御する中央処理装置と、音声信号発生装置からの音声信号を入力して中央処理装置からの指示に応じた音量の音声信号を出力する電子ボリューム回路とを有するカーオーディオ装置であって、中央処理装置は、ウィンドウ開閉量信号に基いてウィンドウの開閉量を検出する検出動作と、検出したウィンドウの開閉
量に応じた音量を段階的に示す音量信号を電子ボリューム回路に出力する音量調節動作とを行うことにより、中央処理装置は、ウィンドウ開閉量が大きい場合は低い音量を示す音量信号を出力し、ウィンドウ開閉量が小さい場合は高い音量を示す音量信号を出力して、電子ボリューム回路から出力される音声信号のレベルを調節することができるので、車両のウィンドウが広く開いているときには音量を小さくし、車両のウィンドウが狭く開いているときには音量を大きくすることができ、車外への迷惑をなくすことができると共に車内におけるオーディオ環境を向上させることができるという有利な効果が得られる。
【０００９】
さらに、携帯電話による通話を行う際に通話をハンズフリー通話にすると共にハンズフリー通話の開始または終了を示すハンズフリー通話信号を出力する携帯電話ハンズフリー通話制御部と、オリジナル音量の音声信号を出力するＣＤプレーヤー等の音声信号発生装置と、全体を制御する中央処理装置と、音声信号発生装置からの音声信号を入力して中央処理装置からの指示に応じた音量の音声信号を出力する電子ボリューム回路とを有するカーオーディオ装置であって、中央処理装置は、ハンズフリー通話信号の示すハンズフリー通話の開始または終了を判定する判定動作と、判定した開始または終了に応じた音量を段階的に示す音量信号を電子ボリューム回路に出力する音量調節動作とを行うことにより、中央処理装置は、ハンズフリー通話が開始した（つまり通話中）と判定したとき、音量を予め設定されている所定音量まで低減させ、ハンズフリー通話が終了したと判定したとき、音量を所定音量まで低下させる前のオリジナル音量に戻すことができるので、カーオーディオ装置によるハンズフリー通話の妨害を低減することができ、車内におけるオーディオ環境を向上させることができるという有利な効果が得られる。
【００１０】
さらに、自動的な音量変更を行うことを示す自動音量変更設定オンデータまたは自動的な音量変更を行わないことを示す自動音量変更設定オフデータを入力するための操作部と、操作部から入力された自動音量変更設定オンデータまたは自動音量変更設定オフデータを記憶するメモリとを備え、中央処理装置は、メモリに自動音量変更設定オンデータが格納されているときには音量調節動作を行い、メモリに自動音量変更設定オフデータが格納されているときには音量調節動作を行わないことにより、操作部から自動音量変更設定オンデータまたは自動音量変更設定オフデータを入力するだけで、自動音量変更の動作、非動作を容易に切り替えることができるという有利な効果が得られる。
【００１１】
さらに、車両の位置または施設を検出して位置検出信号または施設検出信号を出力するカーナビゲーション位置検出部を備え、中央処理装置は、位置検出信号または施設検出信号に基いて車両の位置または施設が自動音量変更を行う自動音量変更対象位置または自動音量変更対象施設か否かを判定する判定動作と、自動音量変更対象位置または自動音量変更対象施設であると判定したときは自動音量変更設定オンデータをメモリに自動的に格納することにより、車両が自動音量変更対象位置または自動音量変更対象施設の近くに存在しているときは自動的に音量変更が行われることになるので、そのような位置または施設の近くでは、車外への迷惑をなくすことができ、車内におけるオーディオ環境を向上させることができ、また、カーオーディオ装置によるハンズフリー通話の妨害を低減することができるという有利な効果が得られる。
【発明を実施するための最良の形態】
【００１２】
本発明は、車外への迷惑をなくし、車内におけるオーディオ環境を向上させ、また携帯電話によるハンズフリー通話に対する妨害を低減するという目的を、車両のウィンドウの開閉量または携帯電話ハンズフリー通話が開始されたか終了したかに応じてカーオーディオ装置から出力される音声の音量を調節することにより実現した。
【００１３】
上記課題を解決するために本発明の第１の発明は、車両のウィンドウの開閉量に応じたウィンドウ開閉量信号を出力するウィンドウ開閉量センサと、オリジナル音量の音声信号
を出力するＣＤプレーヤー等の音声信号発生装置と、全体を制御する中央処理装置と、音声信号発生装置からの音声信号を入力して中央処理装置からの指示に応じた音量の音声信号を出力する電子ボリューム回路とを有するカーオーディオ装置であって、中央処理装置は、ウィンドウ開閉量信号に基いてウィンドウの開閉量を検出する検出動作と、検出したウィンドウの開閉量に応じた音量を段階的に示す音量信号を電子ボリューム回路に出力する音量調節動作とを行うこととしたものであり、中央処理装置は、ウィンドウ開閉量が大きい場合は低い音量を示す音量信号を出力し、ウィンドウ開閉量が小さい場合は高い音量を示す音量信号を出力して、電子ボリューム回路から出力される音声信号のレベルを調節することができるので、車両のウィンドウが広く開いているときには音量を小さくし、車両のウィンドウが狭く開いているときには音量を大きくすることができ、車外への迷惑をなくすことができると共に車内におけるオーディオ環境を向上させることができるという作用・効果を有する。
【００１４】
上記課題を解決するために第２の発明は、携帯電話による通話を行う際に通話をハンズフリー通話にすると共にハンズフリー通話の開始または終了を示すハンズフリー通話信号を出力する携帯電話ハンズフリー通話制御部と、オリジナル音量の音声信号を出力するＣＤプレーヤー等の音声信号発生装置と、全体を制御する中央処理装置と、音声信号発生装置からの音声信号を入力して中央処理装置からの指示に応じた音量の音声信号を出力する電子ボリューム回路とを有するカーオーディオ装置であって、中央処理装置は、ハンズフリー通話信号の示すハンズフリー通話の開始または終了を判定する判定動作と、判定した開始または終了に応じた音量を段階的に示す音量信号を電子ボリューム回路に出力する音量調節動作とを行うこととしたものであり、中央処理装置は、ハンズフリー通話が開始した（つまり通話中）と判定したとき、音量を予め設定されている所定音量まで低減させ、ハンズフリー通話が終了したと判定したとき、音量を所定音量まで低下させる前のオリジナル音量に戻すことができるので、カーオーディオ装置によるハンズフリー通話の妨害を低減することができ、車内におけるオーディオ環境を向上させることができるという作用・効果を有する。
【００１５】
上記課題を解決するために第３の発明は、自動的な音量変更を行うことを示す自動音量変更設定オンデータまたは自動的な音量変更を行わないことを示す自動音量変更設定オフデータを入力するための操作部と、操作部から入力された自動音量変更設定オンデータまたは自動音量変更設定オフデータを記憶するメモリとを備え、中央処理装置は、メモリに自動音量変更設定オンデータが格納されているときには音量調節動作を行い、メモリに自動音量変更設定オフデータが格納されているときには音量調節動作を行わないこととしたものであり、操作部から自動音量変更設定オンデータまたは自動音量変更設定オフデータを入力するだけで、自動音量変更の動作、非動作を容易に切り替えることができるという作用・効果を有する。
【００１６】
上記課題を解決するために第４の発明は、車両の位置または施設を検出して位置検出信号または施設検出信号を出力するカーナビゲーション位置検出部を備え、中央処理装置は、位置検出信号または施設検出信号に基いて車両の位置または施設が自動音量変更を行う自動音量変更対象位置または自動音量変更対象施設か否かを判定する判定動作と、自動音量変更対象位置または自動音量変更対象施設であると判定したときは自動音量変更設定オンデータをメモリに自動的に格納することとしたものであり、車両が自動音量変更対象位置または自動音量変更対象施設の近くに存在しているときは自動的に音量変更が行われることになるので、そのような位置または施設の近くでは、車外への迷惑をなくすことができ、車内におけるオーディオ環境を向上させることができ、また、カーオーディオ装置によるハンズフリー通話の妨害を低減することができるという作用・効果を有する。
【００１７】
（実施の形態１）
図１は、本発明の実施の形態１によるカーオーディオ装置を示すブロック図である。
【００１８】
図１において、１は音量を制御するＣＰＵ（中央処理装置）であり、ＣＰＵ１は、後述のＲＯＭ９に記憶されているプログラムを実行し、後述のメモリ８に記憶されている各種設定データを読み出し、メモリ８に書込みを行い、後述の表示部６に各種情報を表示する。２は音声信号を発生するＣＤプレイヤーやラジオチューナー等の音声信号発生装置である。この音声信号発生装置２は、電子ボリューム回路３に接続されており、電子ボリューム回路３は、ＣＰＵ１からの制御信号（音量信号）を元に、音声信号発生装置２から出力される音声信号のレベル（音量）を調節し、増幅器４に出力する。増幅器４は、電子ボリューム回路３から出力される音声信号を所定の増幅度で増幅し、スピーカ５ａ、５ｂに出力する。スピーカ５ａ、５ｂは増幅器４で増幅された音声信号を音声として出力する。
【００１９】
また、６はカーオーディオ装置の各種状態、各種情報を表示するＬＣＤから構成される表示部である。７はカーオーディオ装置の電源ＯＮキー、音量調節キー、各種設定を行うキーなどを含む操作部であり、ＣＰＵ１は、操作部７から出力されるキー操作信号により、そのキー操作に応じてＲＯＭ９に記憶されているプログラムを実行する。８は現在の音量や、音量変更動作設定値等の各種情報を記憶するメモリ、９はカーオーディオ装置のプログラムを記憶するＲＯＭ、１０はウィンドウの開閉量を検出しＣＰＵ１にウィンドウ開閉量信号として出力するウィンドウ開閉量センサである。ウィンドウ開閉量センサ１０からのウィンドウ開閉量信号を検出したＣＰＵ１は、その信号に応じた音量調節制御を行う。１１は携帯電話によるハンズフリー通話を制御する携帯電話ハンズフリー通話制御部である。携帯電話によりハンズフリー通話が行われた場合、携帯電話ハンズフリー通話制御部１１は、ＣＰＵ１に、ハンズフリー通話の開始を示すハンズフリー通話信号を出力する。ハンズフリー通話の開始を示すハンズフリー通話信号を検出したＣＰＵ１は、その信号に応じた音量調節制御を行う。また、携帯電話によりハンズフリー通話が終了された場合、ハンズフリー通話制御部１１は、ＣＰＵ１に、ハンズフリー通話の終了を示すハンズフリー通話信号を出力する。ハンズフリー通話の終了を示すハンズフリー通話信号を検出したＣＰＵ１は、携帯電話ハンズフリー通話による自動音量調節制御を終了する。１２はカーナビゲーションシステムに接続され、カーナビゲーションシステムが算出する位置情報をＣＰＵ１に出力するカーナビゲーション位置検出部である。カーナビゲーション位置検出部１２より出力される位置情報（位置信号）を受信したＣＰＵ１は、その位置情報に応じた音量調節制御を行う。
【００２０】
このように構成されたカーオーディオ装置について、ウィンドウ開閉時の音量調節動作を図２、図３を用いて説明する。図２はＣＰＵ（中央処理装置）１におけるウィンドウ開閉時の音量調節動作を示すフローチャートであり、図３はウィンドウ開閉量センサ１０の動作説明図である。図３において、車両のウィンドウが完全に閉じている状態は開閉量がレベル１よりも小さい状態であり、開閉量が大きくなるにつれ、レベル１、レベル１以上レベル２以下、レベル２以上レベル３以下、レベル３以上となる。
【００２１】
まず、車両のウィンドウが閉じている状態（開閉量がレベル１より小さい状態）で開閉量をレベル１以上に開くと、ウィンドウ開閉量センサ１０は、その開閉量を示すウィンドウ開閉量信号をＣＰＵ１に出力する。ＣＰＵ１は、ウィンドウ開閉量センサ１０からのウィンドウ開閉量信号かどうかを判定し（Ｓ１）、ステップＳ１でウィンドウ開閉量センサ１０からのウィンドウ開閉量信号であったと判定した場合、ウィンドウ開閉による音量調節制御を行う。ウィンドウ開閉量信号を検出したＣＰＵ１は、メモリ８に記憶している自動音量変更設定内容を読み出し、自動音量変更設定オン（ＯＮ）か自動音量変更設定オフ（ＯＦＦ）かを判定し（Ｓ２）、設定ＯＮであったと判定した場合、ステップＳ３へ移行する。ステップＳ２で自動音量変更設定ＯＦＦであると判定した場合、ウィンドウ開閉による音量調節制御を終了する。
【００２２】
次に、ステップＳ３において、ＣＰＵ１は、メモリ８に記憶しているウィンドウ開閉による音量調節制御以外の音量調節制御動作状態を読み出し、ウィンドウ開閉以外による音量調節制御動作が行われていると判定した場合、ウィンドウ開閉による音量調節制御を終了する。ウィンドウ開閉以外による音量調節制御動作が行われていないと判定した場合、ステップＳ４へ移行する。次に、ステップＳ４において、ＣＰＵ１は、メモリ８からオリジナル音量保存状態を読み出し、オリジナル音量保存済みかどうかを判定する。これは、現在、ウィンドウ開閉による音量調節制御を起動しているかどうかを判定するためのものである。オリジナル音量保存済みでないと判定した場合は、ＣＰＵ１は、ウィンドウ開閉による音量調節制御を起動していないと判定し、メモリ８にウィンドウ開閉による音量調節制御動作中であることを記憶する（Ｓ５）。次に、ＣＰＵ１はメモリ８に現在の音量をオリジナル音量として記憶し、オリジナル音量保存済み状態を示すデータをメモリ８に記憶する（Ｓ６）。次に、ＣＰＵ１は、メモリ８に記憶されている開閉量レベル１検出時の音量低減量（例えば２０％、図３参照）とオリジナル音量とを読み出し（Ｓ７）、音量調節設定値を算出し（Ｓ８）、電子ボリューム回路３に制御信号（音量信号）を出力して電子ボリューム回路３の増幅度を制御することにより、音声信号発生装置２からの音声信号のレベル（音量）をステップＳ８で算出した音量調節設定値に調節する（Ｓ９）。車両のウィンドウをさらに開けて行き、ウィンドウ開閉量センサ１０がウィンドウ開閉量レベル２を示すウィンドウ開閉量信号をＣＰＵ１に出力すると、ステップＳ１〜Ｓ４までの判定が行われる。
【００２３】
ステップＳ４においてオリジナル音量保存済みであると判定した場合は、次に、ＣＰＵ１は、ウィンドウ開閉量センサ１０からの開閉量レベルがウィンドウ開閉量レベル１かどうかの判定を行う（Ｓ１０）。これは、ウィンドウ開閉による音量調節制御動作中のウィンドウ開閉量がレベル１であると判定した場合に、ウィンドウ開閉による音量調節制御動作を終了するためのものである。ステップＳ１０において、例えば開閉量がレベル２であり、ＮＯであると判定した場合は、ステップＳ７において、開閉量がレベル２である時の音量低減量（例えば５０％、図３参照）とオリジナル音量とをメモリ８から読み出し、ステップＳ８において音量調節設定値を算出し、ステップＳ９において電子ボリューム回路３に制御信号（音量信号）を出力し、算出した音量調節設定値に音量調節する。
【００２４】
車両ウィンドウをさらに開けて行き、ウィンドウ開閉量センサ１０が開閉量レベル３を示すウィンドウ開閉量信号をＣＰＵ１に出力すると、上述した開閉量レベル２判定時と同様の処理で音量調節が行われる。車両ウィンドウを閉じて行き、ウィンドウ開閉量センサ１０が開閉量レベル３、次に開閉量レベル２を示すウィンドウ開閉量信号をＣＰＵ１に出力した場合も同様の処理で音量調節が行われる。ウィンドウをさらに閉じて行き、ウィンドウ開閉量センサ１０が開閉量レベル１を示すウィンドウ開閉量信号をＣＰＵ１に出力すると、ステップＳ１０において開閉量レベル１の判定が行われ、開閉量レベル１であるため、ＣＰＵ１は、メモリ８に記憶しているウィンドウ開閉による音量調節制御動作状態を非動作状態に変更し（動作中を解除し）（Ｓ１１）、メモリ８からオリジナル音量を読み出し、電子ボリューム回路３に制御信号を出力し、オリジナル音量に音量調節する（Ｓ１２）。これにより、ウィンドウ開閉による音量調節制御動作が終了し、元の音量（つまりオリジナル音量）に戻ることになる。
【００２５】
次に、本実施の形態における携帯電話によるハンズフリー通話時の音量調節動作を図４を用いて説明する。図４はＣＰＵ１における携帯電話によるハンズフリー通話時の音量調節動作を示すフローチャートである。
【００２６】
本カーオーディオ装置を搭載する車両内において、携帯電話によるハンズフリー通話（以下、「携帯電話ハンズフリー通話」ともいう）を行うと、携帯電話ハンズフリー通話制
御部１１は、ＣＰＵ１に、ハンズフリー通話の開始を示すハンズフリー通話信号を出力する。図４において、まず、ＣＰＵ１は、携帯電話ハンズフリー通話制御部１１からハンズフリー通話信号が入力されたか否かを判定し（Ｓ２１）、ハンズフリー通話信号が入力されたと判定した場合、携帯電話ハンズフリー通話時の音量調節制御を行う。ステップＳ２１でハンズフリー通話信号が入力されたと判定した場合、ＣＰＵ１は、メモリ８に記憶している自動音量変更設定の内容を読み出し、自動音量変更設定ＯＮか自動音量変更設定ＯＦＦかを判定する（Ｓ２２）。自動音量変更設定ＯＮと判定した場合、ＣＰＵ１は、メモリ８に記憶している携帯電話ハンズフリー通話時の音量調節制御以外の音量調節制御動作状態を読み出し、携帯電話ハンズフリー通話時以外の音量調節制御が動作中か否かを判定する（Ｓ２３）。ステップＳ２１においてハンズフリー通話信号が入力されていないと判定した場合、またはステップＳ２２において自動音量変更設定ＯＦＦと判定した場合、あるいはステップＳ２３において携帯電話ハンズフリー通話時以外の音量調節制御が動作中であると判定した場合、携帯電話ハンズフリー通話時の音量調節制御を終了する。
【００２７】
ステップＳ２３において携帯電話ハンズフリー通話時以外の音量調節制御が動作中でないと判定した場合、ＣＰＵ１は、携帯電話ハンズフリー通話制御部１１からのハンズフリー通話信号が開始を示すか終了を示すかを判定する（Ｓ２４）。ハンズフリー通話信号が開始を示すと判定した場合、ＣＰＵ１は、メモリ８に携帯電話ハンズフリー通話による音量調節制御動作中であることを記憶し（Ｓ２５）、メモリ８に現在の音量をオリジナル音量として記憶し、メモリ８に予め設定されている携帯電話ハンズフリー通話時の音量を読み出し（Ｓ２６）、電子ボリューム回路３に制御信号（音量信号）を出力し、電子ボリューム回路３から出力する音声信号の音量をステップＳ２６で読み出した所定音量に調節する（Ｓ２７）。
【００２８】
ステップＳ２４においてハンズフリー通話信号が終了を示すと判定した場合、ＣＰＵ１は、メモリ８に記憶している携帯電話ハンズフリー通話による音量調節制御動作状態を非動作に変更し（動作中を解除し）（Ｓ２８）、メモリ８に記憶しているオリジナル音量を読み出し、電子ボリューム回路３に制御信号を出力し、電子ボリューム回路３から出力する音声信号の音量をオリジナル音量に調節する（Ｓ２９）。
【００２９】
次に、カーナビゲーション位置通知による自動音量変更設定動作を図５を用いて説明する。図５は、ＣＰＵ１におけるカーナビゲーション位置通知による自動音量変更設定動作を示すフローチャートである。
【００３０】
カーナビゲーション位置検出部１２からの位置検出情報（位置検出信号）を受信したＣＰＵ１は、メモリ８に予め設定されている自動音量変更対象位置（ここでは高速道路の料金所付近）を読み出し、カーナビゲーション位置検出部１２からの位置検出信号と比較して高速道路料金所付近か否かを判定する（Ｓ３１）。予め設定されている自動音量変更対象位置でないと判定した場合は、自動音量変更設定動作は行わない。予め設定されている自動音量変更対象位置（ここでは高速道路料金所付近）であったと判定した場合、ＣＰＵ１は、メモリ８から自動音量変更設定の内容を読み出し、自動変更設定がＯＮかＯＦＦかを判定する（Ｓ３２）。自動変更設定ＯＦＦであったと判定した場合は、自動変更設定をＯＮに変更してメモリ８に記憶する（Ｓ３５）。自動変更設定がＯＮであった場合、自動音量変更設定の変更動作は行わない。これにより、自動音量変更設定がＯＦＦの場合でも、或る自動音量変更対象位置に達すると、自動的に自動音量変更設定がＯＮになるため、その位置において、ウィンドウを開けたり携帯電話ハンズフリー通話を行うと、自動的に音量が調節される音量調節動作を行う。
【００３１】
なお、図５では、自動音量変更対象位置と検出位置とを比較するようにしたが、カーナビゲーション位置検出部１２から施設（例えば市役所）検出信号を出力して自動音量変更
対象施設と検出施設とを比較し、自動音量変更対象施設か否かを判定するようにしてもよい。
【００３２】
次に、操作部７における自動音量変更設定ＯＮ操作時の動作を図６を用いて説明する。図６は、ＣＰＵ１における自動音量変更設定ＯＮ操作時の動作を示すフローチャートである。
【００３３】
まず、操作部７で自動音量変更設定ＯＮ操作がなされた場合、ＣＰＵ１は、メモリ８に記憶している自動音量変更設定をＯＮに変更し（Ｓ４１）、その後、ウィンドウ開閉による音量調節制御を起動する（Ｓ４２）。これにより、自動音量変更設定ＯＮ操作時に、自動音量調節の対象状態（ウィンドウが開いている状態）となっていても、すぐに音量調節動作を行うことができる。
【００３４】
次に、自動音量変更設定ＯＦＦ操作時の動作を図７を用いて説明する。図７は、ＣＰＵ１における自動音量変更設定ＯＦＦ操作時の動作を示すフローチャートである。
【００３５】
まず、操作部７で自動音量変更設定ＯＦＦ操作がなされた場合、ＣＰＵ１は、メモリ８に記憶している自動音量変更設定をＯＦＦに変更し（Ｓ５１）、メモリ８に記憶されているウィンドウ開閉による音量調節制御動作状態、携帯電話ハンズフリー通話時の音量調節制御動作状態を読み出し、いずれかの音量調節制御の動作中か否かを判定する（Ｓ５２）。いずれかの音量調節制御の動作中と判定した場合、ＣＰＵ１は、メモリ８よりオリジナル音量を読み出し、電子ボリューム回路３に制御信号（音量信号）を出力し、電子ボリューム回路３から出力する音声信号の音量をオリジナル音量に調節し（Ｓ５３）、さらに、メモリ８に記憶している自動音量変更関連のデータを全て初期化する（Ｓ５４）。これにより、自動音量調節が起動している場合に、自動音量変更設定ＯＦＦ操作がなされた場合は、すぐに自動音量変更設定がＯＦＦとなり、自動音量調節前の元の音量（オリジナル音量）に戻すことが出来る。
【００３６】
なお、本発明は本実施の形態に限定されず、次のような形態でも実施可能である。
【００３７】
（１）車両のドアに開閉センサを設け、携帯電話ハンズフリー通話開始時や終了時のように、ドアオープン時に音量を所定音量に低減する。
【００３８】
（２）車両の助手席や後部座席に重量センサを設け、重量センサで同乗者の有無を検出し、同乗者有りの時には、携帯電話ハンズフリー通話開始時や終了時のように、音量を所定音量に低減する。
【００３９】
（３）所定の時間帯を設定できる機能を設け、現在時刻がその所定の時間帯にある場合は音量を所定音量に低減する。
【産業上の利用可能性】
【００４０】
本発明は、車両に搭載するカーオーディオ装置に関し、車外への迷惑をなくすことができ、車内におけるオーディオ環境を向上させることができ、また携帯電話によるハンズフリー通話に対する妨害を低減することができる。
【図面の簡単な説明】
【００４１】
【図１】本発明の実施の形態１によるカーオーディオ装置を示すブロック図
【図２】ＣＰＵにおけるウィンドウ開閉時の音量調節動作を示すフローチャート
【図３】ウィンドウ開閉量センサの動作説明図
【図４】ＣＰＵにおける携帯電話によるハンズフリー通話時の音量調節動作を示すフローチャート
【図５】ＣＰＵにおけるカーナビゲーション位置通知による自動音量変更設定動作を示すフローチャート
【図６】ＣＰＵにおける自動音量変更設定ＯＮ操作時の動作を示すフローチャート
【図７】ＣＰＵにおける自動音量変更設定ＯＦＦ操作時の動作を示すフローチャート
【符号の説明】
【００４２】
１    ＣＰＵ（中央処理装置）
２    音声信号発生装置
３    電子ボリューム回路
４    増幅器
５ａ    スピーカ
５ｂ    スピーカ
６    表示部
７    操作部
８    メモリ
９    ＲＯＭ
１０    ウィンドウ開閉量センサ
１１    携帯電話ハンズフリー通話制御部
１２    カーナビゲーション位置検出部
【図１】
2005280425.tif 000003
【図２】
2005280425.tif 000004
【図３】
2005280425.tif 000005
【図４】
2005280425.tif 000006
【図５】
2005280425.tif 000007
【図６】
2005280425.tif 000008
【図７】
2005280425.tif 000009